(57)【要約】【課題】水が入りにくく、かつ、水が入ったとしても水を容易に排出しやすい墓石を提供する。【解決手段】本発明の墓石は、貫通孔が形成された納骨室蓋と、筒部及び縁部を備え納骨室蓋に形成された貫通孔に筒部が挿入されるベース本体と、ベース本体と組み合わされるナットと、ベース本体の筒部を塞ぐベース本体用蓋と、を有する開閉具と、を供えている。なお、この場合において、ベース本体部の縁部裏側には突起が形成されており、納骨室蓋の表面には、突起の挿入が可能な穴が形成されていることが好ましい。【選択図】図１
2011137356.tif 000002
【特許請求の範囲】
【請求項１】
貫通孔が形成された納骨室蓋と、
筒部及び縁部を備え前記納骨室蓋に形成された前記貫通孔に前記筒部が挿入されるベース本体と、前記ベース本体と組み合わされるナットと、前記ベース本体の前記筒部を塞ぐベース本体用蓋と、を有する開閉具と、を備えた墓石。
【請求項２】
前記ベース本体部の縁部裏側には突起が形成されており、
前記納骨室蓋の表面には、前記突起の挿入が可能な穴が形成されている請求項１記載の墓石。
【請求項３】
前記ベース本体の前記筒部の外側にはネジ溝が形成されており、
前記ナットには貫通孔が形成され、かつ内側にネジ溝が形成され、
前記ベース本体の外側のネジ溝と前記ナットの内側のネジ溝とを嵌め合わせて締めあげることで前記開閉具を前記納骨室蓋に固定する請求項１記載の墓石。
【請求項４】
棒状部材を有し貫通孔が形成された座金を備え、
前記ベース本体には、軸方向にスリットが設けられ、かつ内側にネジ溝が形成されており、
前記ナットには貫通孔が形成され、かつ外側にネジ溝が形成され、
前記座金における前記棒状部材を前記ベース本体のスリットに挿入し、前記ナットを締め上げ、前記座金の前記棒状部材と前記ベース本体の縁部とで前記納骨室蓋を締めあげることで前記開閉具を前記納骨室蓋に固定する請求項１記載の墓石。
【発明の詳細な説明】
【技術分野】
【０００１】
本発明は、墓石及び墓石用金具に関する。
【背景技術】
【０００２】
墓は遺骨を埋葬する場所であって、通常、台石及び棹石を含む墓石を配置する。また墓の多くは地面に穴を開けて納骨室とし、この納骨室に蓋（納骨室蓋）をおいて遺骨を保管させている。
【０００３】
ところで、墓は風雨にさらされる屋外に設けられるのが一般的であり、孔が開けられていると、雨等が納骨室に入り込んでしまうといった課題がある。そのため、例えば下記特許文献１に記載のように、納骨室蓋の穴に更に蓋を配置する技術が開示されている。
【先行技術文献】
【特許文献】
【０００４】
【特許文献１】特開２００４−１７６３６４号公報
【発明の概要】
【発明が解決しようとする課題】
【０００５】
しかしながら、上記特許文献１に記載の技術では、たとえ穴を覆う蓋を用いたとしても、風雨にさらされる以上、少なからず隙間が生じ、雨水等の浸入を防ぐことは難しい。また、納骨室底部及び側部を石やコンクリート等で構成し、更に納骨室蓋に穴を設けずに納骨室を十分に密封したとしても、時間の経過とともにコンクリートや石から水がしみだし、結局納骨室内に水が溜まってしまうといった課題がある。この場合、特に一度溜まってしまうとなかなか水は抜けていかないといった問題もある。
【０００６】
そこで、本発明は、上記課題を鑑み、水が入りにくく、かつ、水が入ったとしても水を容易に排出しやすい墓石を提供することを目的とする。
【課題を解決するための手段】
【０００７】
上記課題を解決するための第一の観点に係る墓石は、貫通孔が形成された納骨室蓋と、筒部及び縁部を備え納骨室蓋に形成された貫通孔に筒部が挿入されるベース本体と、ベース本体と組み合わされるナットと、ベース本体の筒部を塞ぐベース本体用蓋と、を有する開閉具と、を備えている。
【発明の効果】
【０００８】
以上により本発明は、水が入りにくく、かつ、水が入ったとしても水を容易に排出しやすい墓石となる。
【図面の簡単な説明】
【０００９】
【図１】実施形態１にかかる墓石の概略を示す図である。
【図２】実施形態１に係る墓石の納骨室の概略を示す図である。
【図３】実施形態２に係る納骨室蓋及び開閉具を示す図である。
【図４】図３のＡ−Ａ’断面を示す図である。
【図５】実施形態１に係るベース本体を示す図である。
【図６】実施形態１に係るナットを示す図である。
【図７】実施形態１に係るベース本体用蓋を示す図である。
【図８】実施形態１に係るベース本体一部の概略断面を示す図である。
【図９】実施形態１に係るベース本体用蓋の他の例を示す図である。
【図１０】実施形態１において石蓋を配置した場合の上面図である。
【図１１】図１０のＡ−Ａ’断面図である。
【図１２】設置台を配置した場合の上面図である。
【図１３】図１２のＢ−Ｂ’断面図である。
【図１４】実施形態２に係る納骨室蓋と開閉具を示す図である。
【図１５】図１４のＡ−Ａ’断面図である。
【図１６】実施形態２に係るベース本体を示す図である。
【図１７】実施形態２に係るナットを示す図である。
【図１８】実施形態２に係る座金を示す図である。
【図１９】実施形態２に係るナットと座金とを重ね合わせた場合を示す図である。
【図２０】実施形態２に係る開閉具のベース本体を納骨室蓋の貫通孔に挿入した場合を示す図である。
【図２１】実施形態２に係る開閉具を締め上げる前の状態を示す図である。
【図２２】実施形態２に係る開閉具を締め上げた状態を示す図である。
【発明を実施するための最良の形態】
【００１０】
以下、本発明の実施形態について図面を参照しつつ説明する。ただし、本発明は多くの異なる態様で実施することが可能であり、以下に示す実施形態に限定されるものではない。
【００１１】
（実施形態１）
図１は、本実施形態に係る墓石の概略を示す図であり、図２は、墓石のうち棹石３、台座２及び納骨室蓋７を除いた納骨室４の概略図である。
【００１２】
本実施形態に係る墓石１は、台石２及び棹石３を含む。棹石３は姓等を刻印する石であって、台石２はこの棹石３を支えるための石である。また本実施形態に係る墓石１の下部には納骨室４が設けられており、納骨室４は、納骨室用の底５、側壁６及び蓋（納骨室蓋）７を有して形成されている。納骨室４は骨壷などを配置する空間として利用されるものである。
【００１３】
図３は、本実施形態に係る納骨室蓋７の上面図であり、図４は納骨室蓋７及び開閉具８の断面図（図３中のＡ−Ａ’断面図）である。また図５は、本実施形態に係る開閉具８のベース本体８１を、図６は本実施形態に係る開閉具８のナット８２を、図７は本実施形態に係る開閉具８のベース本体用蓋８３をそれぞれ示している。
【００１４】
本実施形態に係る墓石１の納骨室蓋７には貫通孔７１が形成されている。貫通孔７１には開閉具８が固定されており、開閉具８の蓋を閉じることにより納骨室４を十分に密封させることができると共に、万一納骨室４内に水が浸入した場合は、この開閉具８の蓋を開け、ホースをこの貫通孔（より具体的にはベース本体８１の空間８１１１）に挿入してポンプ等を駆動させて納骨室４から水を排出させることができるようになる。
【００１５】
本実施形態に係る開閉具８は、上記の通り、納骨室４内部を十分に密封する一方、万一納骨室４内に水が浸入した場合に、ホースを挿入できるようにするものである。開閉具８はこの機能を有する限りにおいて限定されるわけではないが、図２の一例で示すように、筒部８１１及び縁部８１２を有するベース本体部８１と、ベース本体部と組み合わされるナット８２と、ベース本体部の筒部８１１を覆うベース本体用蓋８３と、を有して構成される。
【００１６】
本実施形態において、ベース本体８１は、上記の通り筒部８１１及び縁部８１２を有して構成されている。ベース本体８１の筒部８１１は、ベース本体の主要な部分であって、内部には貫通孔８１１１が形成されている。なおこの筒部８１１は、納骨室蓋７に形成された貫通孔７１に挿入される部分である。
【００１７】
また本実施形態においてベース本体８１の筒部８１１の外側には、ネジ溝８１１２が形成されている。ネジ溝を形成することで後述のナット８２と組み合わせて締め上げ、納骨室蓋７に開閉具８を固定することができるようになる。
【００１８】
また本実施形態においてベース本体８１の縁部８１２は、納骨室蓋７の貫通孔７１にベース本体８１筒部８１１を挿入した場合に納骨室７内部に落ちてしまわないよう落下を防止することができるよう鍔として働くとともに、ナットとともに納骨室蓋７を固定するために用いられるものである。また、この機能を有する限りにおいて限定されないが、本実施形態ベース本体８１の縁部８１２の縁部裏側には突起８１２１が形成されていることが好ましい。縁部８１２の裏側に突起８１２１を形成する一方、納骨室蓋７の表面７２にもこの突起８１２１に対応した穴７３を形成し、この穴７３に縁部８１２の突起８１２１を挿入することで、ベース本体８１の軸周りの回転を抑えることができ、開閉具８の弛みを抑えることができる。なおこの穴７３は、有底穴であってもよいし、貫通孔であってもよいが、水等の浸入を低減する観点から、有底穴であることが好ましい。
【００１９】
本実施形態においてナット８２は、ベース本体８１と組み合わされ、納骨室蓋７に開閉具を固定するために用いられるものである。本実施形態において、ナット８２には貫通孔８２１が形成されており、かつナットの内側８２２にはネジ溝が形成されている。つまりベース本体８１１の外側のネジ溝８１１２とナット８２の内側８２２のネジ溝とを嵌め合わせて締めあげることで開閉具８を納骨室蓋７に固定することができる。
【００２０】
また本実施形態において、ベース本体用蓋８３は、上記の通り、ベース本体８１の筒部８１１、より具体的には筒部８１１に形成される貫通孔８１１１を塞ぐことができるものである。ベース本体用蓋８３は、この機能を有する限りにおいて限定されるわけではないが、例えば頭部８３１と軸部８３２とを有して構成され、軸部８３２の周囲にネジ溝８３２１を形成する一方、ベース本体８１の筒部８１１の内側にもネジ溝を形成し、これらを組み合わせて締めることで納骨室４を密封することができるようになる。なお、ベース本体８１の内側に形成されるネジ溝は、ベース本体８１の上端から一定の距離を開けて配置されていることが好ましい。このようにすることで、筒部８１１の貫通孔８１１１にベース本体用蓋８３を嵌めやすくなるといった利点がある。このイメージ図を図８に示しておく。また、ベース本体用蓋８３の頭部８３１には、蓋を閉める際に指で摘めるように凹み部８３１１及びつまみ部８３１２を設けておくことは好ましい一例である。
【００２１】
なおここで、図９に、ベース本体用蓋の他の例を示しておく。本図に係るベース本体用蓋は、凹み部８３１１ではなく、逆に蓋を閉める際に指で摘めるように突起部８３１３が設けられている。このようにすると、より指でつまむ部分を大きくすることができ、強固にベース本体の筒部の蓋をすることができるようになるといった利点がある。
【００２２】
次に、ここで本実施形態に係る開閉具８の納骨室蓋７への固定方法を説明する。
【００２３】
まず、施工者は、納骨室蓋７に貫通孔７１を形成する。なおこの貫通孔７１は予め開けられていてもよい。また、上記の通り、貫通孔７１の周囲には、ベース本体８１の縁部８２の裏側に突起８１２１が設けられている場合、この突起８１２１の位置に対応する穴７３を表面７２に形成しておくことが好ましい。
【００２４】
次に、施工者は、本実施形態にかかる開閉具８のベース本体８１を貫通孔７１に挿入し、ベース本体の筒部８１１をナット８２の貫通孔８２１を挿入し、締め上げて納骨室蓋７に開閉具８を固定する。
【００２５】
そして最後に、ベース本体８１の筒部８１１の貫通孔８１１１にベース本体用蓋８３を挿入し、締めることで納骨室７を密封することができる。
【００２６】
以上の工程により、開閉具８を納骨室蓋７に固定することができ、結果、納骨室７に水が入りにくくなる。なお、水が入ったとしても、ベース本体用蓋８３を回して取外し、ベース本体８１の筒部８１１の貫通孔８１１１にホースを挿入してポンプを駆動させることで水を容易に排出しやすくなる。
【００２７】
なお、一般にベース本体における縁部及びベース本体用蓋は納骨室蓋７の表面７２に対し盛り上がって構成されているのが通常となるため、この縁部及びベース本体用蓋を収納する凹部８４１を有する石蓋８４を設けておくことは好ましい一例である。このように石蓋８４を設けておくことで、金属やプラスチックなどで構成された場合であっても外観において違和感がなくなり、更に風雨にさらされることによる弛みを防止することができるといった利点がある。特に、この石蓋８４を配置し、この上に線香皿や線香台を配置することで目立たなくすることができる。石蓋８４を配置した場合の図を図１０、図１１に示しておく。図１０は上面図であり、図１１は図１０のＡ−Ａ’断面図である。
【００２８】
以上、本実施形態により、水が入りにくく、かつ、水が入ったとしても水を容易に排出しやすい墓石を提供することができる。
【００２９】
またここで、石蓋８４の代わる設置具８６について図１２、図１３に示しておく。図１２は上面図であり、図１３は図１２のＢ−Ｂ’断面図である。
【００３０】
これらの図で示すように、この例における設置具８６は、ベース本体用蓋８３の高さよりも厚く形成されているとともに、開放部８６１を有する枠となっている。このようにすることで、この設置具８６の上に線香皿や線香台を配置することができるだけでなく、開放部を有する枠となっているため、設置具８６の上に配置される重い線香皿や線香台を持ち上げることなく、設置具８６及び線香皿や線香台を手前に引き出すことができ、極めて便利なものとなる。この場合において、設置具８６の開放部８６１は、ベース本体用蓋及びベース本体の縁部８１２よりも広く形成されていることが必要である。なお、ここで枠部は、２つの角と３つの辺を有するコの字を含む形状が線香皿や線香台を配置するのに最も適している基本形となるが、角が丸くなったＵ字を含む形状になっている場合や、全体に丸みを帯びたＣ字を含む形状のものも含む（ここでは、コの字を含む形状、Ｕ字を含む形状、Ｃ字を含む形状を合わせて「略コの字形状」という。）。
【００３１】
（実施形態２）
本実施形態に係る墓石は、上記実施形態とほぼ同様であるが、開閉具８の構造が異なる。以下具体的に本実施形態に係る墓石について説明するが、同様の構成については説明を省略し、異なる部分について主として説明を加える。
【００３２】
図１４は、本実施形態に係る開閉具８の上面図であり、図１５は、図１４におけるＡ−Ａ’断面図である。
【００３３】
本実施形態に係る開閉具８は、上記の通り、納骨室４内部を十分に密封する一方、万一納骨室４内に水が浸入した場合に、ホースを挿入できるようにするものである。開閉具８は、図１４、１５の一例で示すように、筒部８１１及び縁部８１２を有するベース本体部８１と、ベース本体部と組み合わされるナット８２と、ベース本体部の筒部８１１を覆うベース本体用蓋８３と、を有して構成され、更に、棒状部材を有し貫通孔が形成された座金８５を備えている。
【００３４】
図１６に、本実施形態に係るベース本体８１の概略を示す。本図で示すように、ベース本体８１は、ほぼ実施形態１と同様であり、筒部８１１及び縁部８１２を有して構成されている。ベース本体８１の筒部８１１は、ベース本体の主要な部分であって、内部には貫通孔８１１１が形成されている。なおこの筒部８１１は、納骨室蓋７に形成された貫通孔７１に挿入される部分である。
【００３５】
また本実施形態のベース本体８１、より具体的には筒部８１１には、軸方向に一対のスリット８１１３が設けられ、かつ内側にネジ溝が形成されている。このようにすることで、後述する座金８５の棒状部材８５１をスリット８１１３に挿入して筒部８１１内に落とし、筒部８１１の内側のネジ溝に嵌め合わされたナット８２を締め上げることで座金８５を介して納骨室蓋７を締め上げ、開閉具８を固定することができるようになる。
【００３６】
図１７は、本実施形態に係るナット８２の概略図である。本図で示すようにナット８２は、ベース本体８１と組み合わされ、納骨室蓋７に開閉具を固定するために用いられるものである。本実施形態において、ナット８２には貫通孔８２１が形成されており、かつナットの外側にはネジ溝８２３が形成されている。貫通孔８２１は、レンチ等を用いて回転できるよう、多角形例えば六角形の孔形状であることが好ましい。つまりベース本体８１１の内側のネジ溝とナットの外側のネジ溝８２３とを嵌め合わせて締めることでナット８２をベース本体８１の筒部８１１内部を軸方向に上に移動させることができ、逆に下に移動させることもできる。
【００３７】
図１８は、本実施形態にかかる座金８５の概略図である。本図で示すように、座金８５は、一対の棒状部材８５１が付され、貫通孔８５２が形成された輪部８５３を有して構成されている。座金８５は、ベース本体８１の筒部８１１に挿入される際、上記ナット８２の上に落とされ、配置されるものであり、ナット８２を締め上げることでベース本体８１の縁部８１２と納骨室蓋７を締め上げることができるものである。なお、ここにおいて貫通孔８５３は、上記ナット８２の貫通孔８２１よりも大きい必要がある。このようにすることで、座金８５の貫通孔８５３に引っかけることなくナット８２の貫通孔８２１にレンチ等を挿入し、ナット８２を締め上げることができるようになる。なお、座金８５とナット８２とを重ね合わせた場合のイメージ図を図１９に示しておく。
【００３８】
ここで、本実施形態に係る開閉具８の納骨室蓋７への固定方法を説明する。
【００３９】
まず、施工者は、納骨室蓋７に貫通孔７１を形成する。なおこの貫通孔７１は予め開けられていてもよい。また、上記の通り、貫通孔７１の周囲には、ベース本体８１の縁部８２の裏側に突起８１２１が設けられている場合、この突起８１２１の位置に対応する穴７３を表面７２に形成しておくことが好ましい。
【００４０】
次に、施工者は、本実施形態にかかる開閉具８のベース本体８１を貫通孔７１に挿入する。この際において、施行者は予めベース本体８１の筒部８１１のネジ溝と、ナット８２の外周に形成されるネジ溝とを噛み合わせてナット８２を筒部８１１内部に配置し、貫通孔７１にベース本体８１を挿入する（図２０参照。）。
【００４１】
そして施行者は、座金８５の棒状部材をベース本体８１の筒部８１１に形成されるスリット８１１３のいずれか一方に斜めに挿入し、他方の棒状部材を他方のスリット８１１３に挿入して落とし、図１９で示すようにナット８２と座金８５とが筒部８１１において重なるよう配置する（図２１参照）。
【００４２】
そして施行者は、座金８５がナット８２上に配置されたことを確認した後、貫通孔８１１１からレンチを挿入し、ナット８２を回して上部に移動させる。すると、座金８５における棒状部材８５１も自動的に上部に移動することとなり、この結果ベース本体８１の縁部８１２と納骨室蓋７を締め上げ、開閉具８を固定することができる。すなわち納骨室７を密封することができる（図２２参照）。
【００４３】
以上の工程により、開閉具８を納骨室蓋７に固定することができ、結果、納骨室７に水が入りにくくなる。なお、水が入ったとしても、ベース本体用蓋８３を回して取外し、ベース本体８１の筒部８１１の貫通孔８１１１にホースを挿入してポンプを駆動させることで水を容易に排出しやすくなる。特に本実施形態の場合、納骨室蓋７に貫通孔７１を開けてしまいさえすれば、蓋７の下面からナット８２で示す必要がなくなるため、納骨室蓋７を開ける必要がなくなるため、非常に簡便に開閉具８を固定することができるようになる。
【００４４】
なお、本実施形態においても、一般にベース本体８１１における縁部及びベース本体用蓋は納骨室蓋７の表面７２に対し盛り上がって構成されているのが通常となるため、この縁部及びベース本体用蓋を収納する凹部８４１を有する石蓋８４を設けておくことも好ましい一例である。このように石蓋８４を設けておくことで、金属やプラスチックなどで構成された場合であっても外観において違和感がなくなり、更に風雨にさらされることによる弛みを防止することができるといった利点がある。
【００４５】
なお、本実施形態においては、ベース本体８１における筒部８１１の内側にネジ溝を設ける構成としているが、これ以外に、上記実施形態１と同様に、外側にもネジ溝を設けることも好ましい。このようにすることで、いずれの実施形態にも対応できるベース本体８１となるといった効果がある。
【００４６】
以上、本実施形態により、水が入りにくく、かつ、水が入ったとしても水を容易に排出しやすい墓石を提供することができる。
【産業上の利用可能性】
【００４７】
本発明は、墓石及び開閉具として産業上の利用可能性がある。
【図１】
2011137356.tif 000003
【図２】
2011137356.tif 000004
【図３】
2011137356.tif 000005
【図４】
2011137356.tif 000006
【図５】
2011137356.tif 000007
【図６】
2011137356.tif 000008
【図７】
2011137356.tif 000009
【図８】
2011137356.tif 000010
【図９】
2011137356.tif 000011
【図１０】
2011137356.tif 000012
【図１１】
2011137356.tif 000013
【図１２】
2011137356.tif 000014
【図１３】
2011137356.tif 000015
【図１４】
2011137356.tif 000016
【図１５】
2011137356.tif 000017
【図１６】
2011137356.tif 000018
【図１７】
2011137356.tif 000019
【図１８】
2011137356.tif 000020
【図１９】
2011137356.tif 000021
【図２０】
2011137356.tif 000022
【図２１】
2011137356.tif 000023
【図２２】
2011137356.tif 000024
【手続補正書】
【提出日】平成22年6月5日(2010.6.5)
【手続補正１】
【補正対象書類名】特許請求の範囲
【補正対象項目名】全文
【補正方法】変更
【補正の内容】
【特許請求の範囲】
【請求項１】
貫通孔が形成された納骨室蓋と、
筒部及び縁部を備え前記納骨室蓋に形成された前記貫通孔に前記筒部が挿入されるベース本体と、前記ベース本体と組み合わされるナットと、前記ベース本体の前記筒部を塞ぐベース本体用蓋と、を有する開閉具と、を備え、
前記ベース本体の縁部裏側には突起が形成されており、
前記納骨室蓋の表面には、前記突起の挿入が可能な穴が形成されている墓石。
【請求項２】
前記ベース本体の前記筒部の外側にはネジ溝が形成されており、
前記ナットには貫通孔が形成され、かつ内側にネジ溝が形成され、
前記ベース本体の外側のネジ溝と前記ナットの内側のネジ溝とを嵌め合わせて締めあげることで前記開閉具を前記納骨室蓋に固定する請求項１記載の墓石。
【請求項３】
貫通孔が形成された納骨室蓋と、
筒部及び縁部を備え前記納骨室蓋に形成された前記貫通孔に前記筒部が挿入されるベース本体と、前記ベース本体と組み合わされるナットと、前記ベース本体の前記筒部を塞ぐベース本体用蓋と、棒状部材を有し貫通孔が形成された座金と、を有する開閉具と、を備え、
前記ベース本体には、軸方向にスリットが設けられ、かつ内側にネジ溝が形成されており、
前記ナットには貫通孔が形成され、かつ外側にネジ溝が形成され、
前記座金における前記棒状部材を前記ベース本体のスリットに挿入し、前記ナットを締め上げ、前記座金の前記棒状部材と前記ベース本体の縁部とで前記納骨室蓋を締めあげることで前記開閉具を前記納骨室蓋に固定する墓石。
【請求項４】
前記ベース本体用蓋の高さよりも厚く形成され、前記ベース本体の前記縁部よりも広く形成されている開放部を有する枠からなる設置具を備えた請求項１又は３記載の墓石。